(57)【要約】【課題】工期が短くでき、低コストで、美しい外観の得られる建築構造材の接合金物、四阿及び四阿の施工方法を提供する。【解決手段】上記課題を解決するために本発明の接合金物３は、接合するそれぞれの建築構造材１３に対応した形状ないし傾斜角度θを有する複数の翼板状の取付ブラケット１９が設けられていて、これらの取付ブラケット１９は、基端側の端辺が一体に連結されており、平面視放射状に配設されている。また本発明の接合金物５は、これに加えて柱７の上端面に宛がわれる基板部２５と、基板部２５の下面から下方に延長形成されている取付軸部２７とを備えている。また本発明の四阿１及び四阿の施工方法では、屋根要素９と上記接合金物３、５が使用されている。【選択図】        図６
2006046011.tif 000002
【特許請求の範囲】
【請求項１】
種類、取付高さ及び取付角度の全部または一部を異にする屋根の骨組を構成する複数の建築構造材を接合できる建築構造材組立用の接合金物において、前記接合金物には、接合するそれぞれの建築構造材に対応した形状ないし傾斜角度を有する複数の翼板状の取付ブラケットが設けられていて、これらの取付ブラケットは、基端側の端辺が一体に連結されており、平面視放射状に配設されていることを特徴とする建築構造材の接合金物。
【請求項２】
種類、取付高さ及び取付角度の全部または一部を異にする屋根の骨組を構成する複数の建築構造材と、屋根を支える柱とを接合できる建築構造材組立用の接合金物において、前記接合金物は、柱の上端面に宛がわれる基板部と、基板部の下面から柱の高さ方向、下方に延びるように延長形成されている取付軸部と、基板部の上面に設けられ、接合するそれぞれの建築構造材に対応した形状ないし傾斜角度を有する複数の翼板状の取付ブラケットとを備えており、このうち複数枚設けられる取付ブラケットは、基端側の端辺が一体に連結されており、平面視放射状に配設されていることを特徴とする建築構造材の接合金物。
【請求項３】
地中に設けた基礎上に立ち上げられた複数本の柱を支柱として、柱の上方に屋根を構築することによって構成される簡易建築物において、屋根の骨組には、種類、取付高さ及び取付角度の全部または一部を異にする複数の建築構造材が使用されており、これらの建築構造材同士の接合手段及び建築構造材と柱との接合手段として請求項１または２に記載した建築構造材の接合金物が使用されていることを特徴とする四阿。
【請求項４】
請求項３に記載した四阿において、前記建築構造材の接合金物は、建築構造材に組付けられた状態で建築構造材間に隠され、外部から視認できないように構成されていることを特徴とする四阿。
【請求項５】
地中に設けた基礎上に立ち上げられた複数本の柱を支柱として、柱の上方に屋根を構築することによって構成される簡易建築物の施工方法において、地中に基礎を設け、柱を立設する基礎、柱設置工程と、勾配ないし傾斜方向を異にするユニット化された屋根要素を予め製作する屋根要素製作工程と、当該屋根要素同士の接合及び屋根要素と柱との接合を請求項１または２に記載した建築構造材の接合金物を使用して行う屋根要素接合工程と、接合した屋根要素の下面側に天井化粧板、上面側に葺き材を張接し、完成した屋根に仕上げる屋根仕上工程とを備えていることを特徴とする四阿の施工方法。
【発明の詳細な説明】
【技術分野】
【０００１】
本発明は、種類、取付高さ及び取付角度の全部または一部を異にする屋根の骨組を構成する複数の建築構造材を接合できる建築構造材組立用の接合金物、当該接合金物を使用した四阿及び当該四阿の施工方法に関するものである。
【背景技術】
【０００２】
公園、庭園あるいはキャンプ場等には、休憩施設として、柱の上に屋根を葺いただけの四阿と呼ばれる壁のない簡易建築物が多く建てられている。
このような四阿の多くは、熟練を要した大工による木材を使用した大工仕事によって建てられるか、量産性を考慮して工場等で予め加工された鋼材を使用し、これらを現場で組み付ける鉄骨工事によって製作されている。
【０００３】
このうち、大工仕事によるものとしては、ホゾ組加工等を多用した本格的なものや、平板金物や羽子板金物を建築構造材の接合部外面に取り付ける簡易的なものが存在する。しかし前者は手間のかかるホゾ組加工等が必要なため、美しい外観が得られる反面、加工コストや工期がかかるという欠点を有している。
後者は、加工コストを低く抑えられる反面、完成した四阿の外観に平板金物等が現れるため、これらの平板金物等が四阿の外観を損ねるという欠点を有している。また平板金物等は種々の接合部において使用できるよう規格化された簡単な形状になっており、単一の接合部に複数の平板金物等が使用されている現状も四阿の外観を損ねる要因になっている。
尚、この点は鋼材を四阿の骨組みに使用した場合も同様であり、特に自然との調和や外観を重視する四阿の構築には不向きな工法とされていた。
【発明の開示】
【発明が解決しようとする課題】
【０００４】
本発明は、上記背景技術及び背景技術が抱える問題点を踏まえてなされたものであって、工期が短くでき、加工コスト及び施工コストを低く抑え、しかも美しい外観の得られる新規な建築構造材の接合金物、当該接合金物を使用した四阿及び四阿の施工方法を提供することを解決しようとする課題とする。
【課題を解決するための手段】
【０００５】
上記課題を解決するために請求項１の発明は、種類、取付高さ及び取付角度の全部または一部を異にする屋根の骨組を構成する複数の建築構造材を接合できる建築構造材組立用の接合金物において、前記接合金物には、接合するそれぞれの建築構造材に対応した形状ないし傾斜角度を有する複数の翼板状の取付ブラケットが設けられていて、これらの取付ブラケットは、基端側の端辺が一体に連結されており、平面視放射状に配設されていることを特徴とする建築構造材の接合金物である。
【０００６】
請求項２の発明は、種類、取付高さ及び取付角度の全部または一部を異にする屋根の骨組を構成する複数の建築構造材と、屋根を支える柱とを接合できる建築構造材組立用の接合金物において、前記接合金物は、柱の上端面に宛がわれる基板部と、基板部の下面から柱の高さ方向、下方に延びるように延長形成されている取付軸部と、基板部の上面に設けられ、接合するそれぞれの建築構造材に対応した形状ないし傾斜角度を有する複数の翼板状の取付ブラケットとを備えており、このうち複数枚設けられる取付ブラケットは、基端側の端辺が一体に連結されており、平面視放射状に配設されていることを特徴とする建築構造材の接合金物である。
【０００７】
請求項３の発明は、地中に設けた基礎上に立ち上げられた複数本の柱を支柱として、柱の上方に屋根を構築することによって構成される簡易建築物において、屋根の骨組には、種類、取付高さ及び取付角度の全部または一部を異にする複数の建築構造材が使用されており、これらの建築構造材同士の接合手段及び建築構造材と柱との接合手段として請求項１または２に記載した建築構造材の接合金物が使用されていることを特徴とする四阿である。
【０００８】
請求項４の発明は、請求項３に記載した四阿において、前記建築構造材の接合金物は、建築構造材に組付けられた状態で建築構造材間に隠され、外部から視認できないように構成されていることを特徴とする四阿である。
【０００９】
請求項５の発明は、地中に設けた基礎上に立ち上げられた複数本の柱を支柱として、柱の上方に屋根を構築することによって構成される簡易建築物の施工方法において、地中に基礎を設け、柱を立設する基礎、柱設置工程と、勾配ないし傾斜方向を異にするユニット化された屋根要素を予め製作する屋根要素製作工程と、当該屋根要素同士の接合及び屋根要素と柱との接合を請求項１または２に記載した建築構造材の接合金物を使用して行う屋根要素接合工程と、接合した屋根要素の下面側に天井化粧板、上面側に葺き材を張接し、完成した屋根に仕上げる屋根仕上工程とを備えていることを特徴とする四阿の施工方法である。
【発明の効果】
【００１０】
本発明の建築構造材の接合金物によれば、単一の接合金物によって屋根の骨組を構成する複数の建築構造材同士の接合及び当該建築構造材と柱との接合を同時に行うことができる。
本発明の四阿によれば、四阿の組み立てが容易になり、建築構造材の接合金物が外部に現れないため、四阿の外観を害することもない。
また本発明の四阿の施工方法によれば、予め屋根要素を工場等で製作しておき、現場において建築構造材の接合金物を用いて組み立てることが可能となるから施工コストの削減及び工期の短縮を図ることができる。
【発明を実施するための最良の形態】
【００１１】
以下、タイプの違う２種類の四阿を示す実施例１、２を例にとって、本発明に係る四阿ないし四阿の施工方法を実施するための最良の形態と、それぞれの四阿における建築構造材同士の接合及び建築構造材と柱との接合に好適な計５タイプの本発明に係る建築構造材の接合金物を実施するための最良の形態について説明する。
【実施例１】
【００１２】
本実施例では、棟がなく、１つの頂点３１から四方に向って傾斜した方形（ほうぎょう）と呼ばれる屋根１１を有する四阿１が開示されている。また以下の説明では、最初に四阿１の概略の構成について説明し、次いで係る四阿１の組立てに使用する２種類の接合金物３、５の構成を説明する。またこのような四阿１を例にとって、上記接合金物３、５を使用して行う本発明の四阿の施工方法について説明する。
【００１３】
実施例１に係る四阿１は、図１〜５に示すように地中Ｇに設けた基礎６上に立ち上げられた４本の柱７を支柱として三角形板枠状の４組の屋根要素９を組み合わせることによって柱７の上方に屋根１１を構築することによって構成されている。
屋根１１ないし屋根要素９の骨組には、種類、取付高さ及び取付角度の全部または一部を異にする複数の建築構造材１３が使用されている。
【００１４】
建築構造材１３としては、隅木１５、垂木３３のように傾斜状態で設けられるものや桁１７、端木３５のように水平状態で設けられるものがある。そして、隅木１５同士を接合する接合手段として接合金物３が使用され、隅木１５、桁１７の両端部及び柱７を接合する接合手段として接合金物５が使用されている。
接合金物３は、図６に示すように、接合する隅木１５に対応して隅木１５の勾配に合わせて、一例として傾斜角度θが７２°に設定された矩形翼板状の隅木頂部用取付ブラケット１９を４枚有している。これら４枚の隅木頂部用取付ブラケット１９は図７（ｃ）（ｄ）に示すように基端側の端辺が一体に連結されており、平面視放射状に９０°間隔で配設されている。またそれぞれの隅木頂部用取付ブラケット１９の自由端寄りには、隅木１５と接合する際に使用するボルトＢと嵌合ないし螺合する取付穴２９が２個ずつ設けられている。
【００１５】
また接合金物５は、図６に示すように、隅木１５の下部に接合される隅木下部用取付ブラケット２１と、桁１７の端部に接合される２枚の桁端部用取付ブラケット２３とを有している。また接合金物５には、柱７の上端面に宛がわれる基板部２５と、基板部２５の下面から柱７の高さ方向、下方に延びるように延長形成されている取付軸部２７とが設けられている。
上記隅木下部用取付ブラケット２１と、２枚の桁端部用取付ブラケット２３は、基板部２５の上面に設けられている。
【００１６】
隅木下部用取付ブラケット２１は、基板部２５から垂直に立ち上げられた後、隅木１５の勾配に合わせて隅木１５の頂部３１に向って上方に傾斜した鉤形翼板状の形状を有している。隅木下部用取付ブラケット２１の傾斜角度θは一例として７２°に設定されており、隅木下部用取付ブラケット２１の自由端寄りには、隅木１５と接合する際に使用するボルトＢと嵌合ないし螺合する取付穴２９が２個設けられている。
【００１７】
桁端部用取付ブラケット２３は、自由端側下方の角稜部が大きく面取りされた略矩形翼板状の部材で、水平に設けられており、上記隅木下部用取付ブラケット２１と基端側の端辺が一体に連結されており、平面視放射状に隅木下部用取付ブラケット２１を中央にして４５°の間隔で２枚配設されている。桁端部用取付ブラケット２３の自由端寄りには、桁１７と接合する際に使用するボルトＢと嵌合ないし螺合する取付穴２９が１個ずつ設けられている。
【００１８】
基板部２５は四隅の角稜部がすべて面取りされた略正方形平板状の部材である。そして基板部２５の上面に上述の隅木下部用取付ブラケット２１と２枚の桁端部用取付ブラケット２３が溶接等によって一体に取り付けられている。また基板部２５の下面中央には、一例として円筒状の取付軸部２７が同じく溶接等によって一体に取り付けられている。取付軸部２７の側胴部には、柱７と接合する際に使用するボルトＢと嵌合ないし螺合する取付穴２９が軸と直交する方向に２個設けられている。
【００１９】
屋根要素９は、図４に示すように頂部３１から裾広がりに斜め下方に向けて延びる２本の隅木１５と、これらの隅木１５の下端を平行に結ぶ端木３５と、上端が隅木１５に接続され、下端が端木３５に接続されるよう、端木３５に直交し、端木３５の長手方向に等間隔で設けられる垂木３３とを備え、一例として２×４パネル工法によって成形されている。
また図７（ａ）〜（ｃ）に示すように接合金物３と接合される部位の隅木１５の頂部３１付近と、接合金物５と接合される部位の隅木１５の下部及び桁１７の端部には、各取付ブラケット１９、２１、２３の板厚分の凹部加工が施されている。そして形成された当該凹部３７に各取付ブラケット１９、２１、２３を嵌めこむことによって、外部から各取付ブラケット１９、２１、２３が視認できないようになっている。またこれらの各取付ブラケット１９、２１、２３と建築構造材１３及び柱７との接合は、これらを貫通するボルトＢと、ボルトＢに螺合するナットＮ等を使用して行われる。
【００２０】
また四阿１の完成状態では、組み合わせた屋根要素９に対して、図３に示すように下面側に厚さ９ｍｍ程度の一例として檜の天然化粧板３９を張設し、上面側に厚さ１２ｍｍのコンパネ４０、その上に防水材としてアスファルトルーフィング４１、その上に葺き材としてカラーベスト・平形スレート（例えばクボタ製の商品名「コロニアル」）４３を張設し、更に棟木包あるいは棟押えとして厚さ０．４ｍｍ程度の銅板４５が取り付けられ、更に端木３５に沿わせるように板状の鼻隠し４７が設けられることによって屋根１１が構築されている。
【００２１】
次にこのようにして構成される本発明の四阿の施工方法について説明する。本発明の四阿の施工方法は、地中Ｇに基礎６を設け、柱７を立設する（１）基礎、柱設置工程と、屋根要素９を工場等において予め製作する（２）屋根要素製作工程と、上記接合金物３、５を使用して屋根要素９を接合する（３）屋根要素接合工程と、接合した屋根要素に化粧材及び仕上材等を張設する（４）屋根仕上工程とを備えている。
【００２２】
（１）基礎、柱設置工程
図３、５に示すように４本の柱７を立ち上げるために、柱７を支える土台となる基礎６を地中Ｇに４ヶ所設ける。またそれぞれの基礎６から垂直に柱７を立ち上げ、その上端面に接合金物５を取り付ける。即ち、接合金物５における取付軸部２７を柱７の上端面から垂直に下方に向けて刻設されている取付穴部４９に挿し込み、ボルトＢ及びナットＮを使用して接合金物５を柱７に固定する。
【００２３】
（２）屋根要素製作工程
上記工事と並行して、工場等において屋根要素９の製作を開始する。本実施例では、一例として２×４パネル工法を使用して同一形状の屋根要素９を４組製作する。
また屋根要素９の接合に先立って、接合金物５の基板部２５上に桁１７を載置しておく。この際、桁１７に予め刻設されている凹部３７に桁端部用取付ブラケット２３を嵌め込むようにして取り付ける。そしてボルトＢ及びナットＮを利用して桁端部用取付ブラケット２３と桁１７とを固定し、桁１７と柱７との接合を完了させる。
また図４に示すように補強材としての火打梁５１を桁１７の接合部近傍の隅部に４５°の角度で架け渡す。
【００２４】
（３）屋根要素接合工程
製作した４組の屋根要素９を立ち上げた柱７の上方にクレーン等を利用して吊り上げ、最初に屋根要素９の頂部３１の接合を接合金物３を使用して行う。
図７（ｃ）に示すように各屋根要素９に刻設されている凹部３７に対して接合金物３の隅木頂部用取付ブラケット１９を嵌め込み、ボルトＢ及びナットＮを使用して４組の屋根要素９の頂部３１の接合を図る。
【００２５】
次に頂部３１が接合された屋根要素９と桁１７との接合を既に柱７の上端面に対して固定してある接合金物５を使用して行う。即ち、接合金物５における中央の一段背の高い隅木下部用取付ブラケット２１を屋根要素９の接合面に刻設されている凹部３７に嵌め込み、ボルトＢ及びナットＮを使用して屋根要素９の下部の接合と、屋根要素９と桁１７及び柱７との接合を図る。
【００２６】
（４）屋根仕上工程
本工程では、接合され、柱７の上方に設けられた屋根要素９に対して屋根要素９の下面側に天然化粧板３９を張設する。また屋根要素９の上面側にはコンパネ４０を張設し、更にその上にアスファルトルーフィング４１を敷いた後、カラーベスト・平形スレート４３を葺く。
そしてカラーベスト・平形スレート４３の継ぎ合わせ部となる隅部ないし頂部に対して銅板４５を設けることによって屋根１１を仕上げる。
そして柱７に対して防腐剤や塗料等を塗布することによって四阿１の施工が完了する。
【実施例２】
【００２７】
本実施例では、棟を中心に四方に向って傾斜した寄棟（よせむね）と呼ばれる屋根１１を有する四阿６１が開示されている。
また以下の説明では、最初に四阿６１の概略の構成について説明し、次いで係る四阿６１の組立てに使用する４種類の接合金物のうち、前記実施例１において説明した接合金物５を除く、接合金物６３、６５、６７の構成を説明する。またこのような四阿６１を例にとって、上記４種類の接合金物５、６３、６５、６７を使用して行う本発明の四阿の施工方法について説明する。
【００２８】
実施例２に係る四阿６１は、図８〜１２に示すように、地中Ｇに設けた基礎６上に立ち上げられた６本の柱７を支柱として三角形板枠状の２組の屋根要素９と、台形板枠状の４組の屋根要素６９とを組み合わせることによって柱７の上方に屋根７１を構築することによって構成されている。
屋根７１ないし屋根要素９及び屋根要素６９の骨組には、種類、取付高さ及び取付角度の全部または一部を異にする複数の建築構造材１３が使用されている。
【００２９】
建築構造材１３としては、隅木１５、垂木３３、合木７７のように傾斜状態で設けられるものや桁１７、端木３５、棟木７３のように水平状態で設けられるものや束７５のように垂直状態で設けられるものがある。
そして隅木１５の頂部３１と棟木７３の端部を接合する接合手段として接合金物６３が使用され、隅木１５、桁１７の両端部及び柱７を接合する接合手段として前記実施例１において説明した接合金物５が使用されている。
また本実施例では、この他、棟木７３と合木７７を接合する接合手段として接合金物６５が使用され、合木７７、桁１７の中央部、補強用の水平梁７９及び柱７を接合する接合手段として接合金物６７が使用されている。
【００３０】
接合金物６３は、図１３、１４（ｃ）〜（ｅ）に示すように、接合する隅木１５に対応して隅木１５の勾配に合わせて、一例として傾斜角度θが７２°に設定された矩形翼板状の隅木頂部用取付ブラケット８１を２枚と、棟木７３の端部と接合する水平に設けられる矩形翼板状の棟木端部用取付ブラケット８３を１枚と、棟木端部用取付ブラケット８３の下方に束７５と接合する垂直に設けられる矩形翼板状の束用取付ブラケット８５を１枚との計４枚の取付ブラケットを有している。
【００３１】
このうち２枚の隅木頂部用取付ブラケット８１と棟木端部用取付ブラケット８３は、図１４（ｃ）に示すように基端の端辺が一体に連結されており、平面視放射状で、２枚の隅木頂部用取付ブラケット８１の間隔が９０°、隅木頂部用取付ブラケット８１と棟木端部用取付ブラケット８３の間隔が１３５°になるように配設されている。
また２枚の隅木頂部用取付ブラケット８１の自由端寄りと、棟木端部用取付ブラケット８３には２つずつ、束用取付ブラケット８５には１つ、隅木１５、棟木７３及び束７５と接合する際に使用するボルトＢと嵌合ないし螺合する取付穴２９が設けられている。
【００３２】
接合金物６５は、図１５、図１６（ｃ）（ｄ）に示すように、接合する合木７７に対応して合木７７の勾配に合わせて、一例として傾斜角度θが６６°に設定された矩形翼板状の合木頂部用取付ブラケット８７を２枚と、棟木７３の胴部と接合する水平に設けられる矩形翼板状の棟木胴部用取付ブラケット８９を２枚有している。２枚ずつ設けられる合木頂部用取付ブラケット８７と棟木胴部用取付ブラケット８９は、それぞれ対向する位置に設けられていて、これら４枚の取付ブラケット８７、８９は基端側の端辺が一体に連結されており、平面視放射状に９０°間隔で配設されている。
また２枚ずつ設けられる合木頂部用取付ブラケット８７の自由端寄りと、棟木胴部用取付ブラケット８９には、合木７７及び棟木７３と接合する際に使用するボルトＢと嵌合ないし螺合する取付穴２９が設けられている。
【００３３】
接合金物６７には、図１５、１６（ａ）（ｂ）に示すように、合木７７の下部に接合される合木下部用取付ブラケット９１と、桁１７の胴部に接合される２枚の桁胴部用取付ブラケット９３と、水平梁７９に接合される水平梁用取付ブラケット９５とを有している。また接合金物６７には、柱７の上端面に宛がわれる基板部２５と、基板部２５の下面から柱７の高さ方向、下方に延びるように延長形成されている取付軸部２７とが設けられている。
上記合木下部用取付ブラケット９１と、２枚の桁胴部用取付ブラケット９３は、基板部２５の上面に設けられており、上記水平梁用取付ブラケット９５は、合木下部用取付ブラケット９１の下部を内側に水平に張り出させることで形成されている。
【００３４】
合木下部用取付ブラケット９１は、基板部２５から垂直に立ち上げられ、上辺が合木７７の勾配に合わせて斜めにカットされた翼板状の形状を有している。尚、合木下部用取付ブラケット９１の斜めにカットされた上辺の傾斜角度θは一例として６６°に設定されており、合木下部用取付ブラケット９１の自由端寄りには、傾斜した上辺に沿うように合木７７と接合する際に使用するボルトＢと嵌合ないし螺合する取付穴２９が２個設けられている。
【００３５】
桁胴部用取付ブラケット９３は、自由端側下方の角稜部が大きく面取りされた略矩形翼板状の部材で、水平に設けられており、上記合木下部用取付ブラケット９１の前面及び背面の下部中央に基端側の端辺が一体に接合されている。
また水平梁用取付ブラケット９５も、上記桁胴部用取付ブラケット９３と同様、自由端側下方の角稜部が大きく面取りされた略矩形翼板状の部材で内側に向けて張り出すように合木下部用取付ブラケット９１を延長形成して設けられている。
【００３６】
そしてこれらの各取付ブラケット９１、９３、９５は、図１６（ａ）に示すように平面視放射状に合木下部用取付ブラケット９１ないし水平梁用取付ブラケット９５を中央にして９０°の間隔で桁胴部用取付ブラケット９３を２枚配設する構成となっている。尚、桁胴部用取付ブラケット９３の自由端寄りに１個、水平梁用取付ブラケット９５に２個、桁１７ないし水平梁７９と接合する際に使用するボルトＢと嵌合ないし螺合する取付穴２９が設けられている。
また接合金物５及び屋根要素９の構成は、前述の実施例１と同様であるので、ここでの説明は省略する。
【００３７】
屋根要素６９は、図１１に示すように、最上部に平行に架け渡された棟木７３と、棟木７３の一方の端部を頂部３１として、裾広がりに斜め下方に向けて延びる隅木１５と、棟木７３の他方の端部を頂部９７として、垂直に斜め下方に向けて延びる合木７７と、隅木１５と合木７７の下端を平行に結ぶ端木３５と、上端が隅木１５または棟木７３に接続され、下端が端木３５に接続されるよう、端木３５に直交し、端木３５の長手方向に等間隔で設けられる垂木３３とを備え、一例として２×４パネル工法によって成形されている。
【００３８】
また図１４（ａ）〜（ｃ）、図１６（ａ）（ｅ）に示すように、接合金物６３と接合される部位の隅木１５の頂部３１付近、棟木７３の端部及び束７５と、接合金物５と接合される部位の隅木１５の下部及び桁１７の端部と、接合金物６５と接合される部位の合木７７の頂部９７付近及び棟木７３の端部と、接合金物６７と接合される部位の合木７７の下部、桁１７の胴部及び水平梁７９の端部には、各取付ブラケット８１、８３、８５、２１、２３、８７、８９、９１、９３、９５の板厚分の凹部加工が施されている。
【００３９】
そして形成された当該凹部３７に各取付ブラケット８１、８３、８５、２１、２３、８７、８９、９１、９３、９５を嵌め込むことによって外部から各取付ブラケット８１、８３、８５、２１、２３、８７、８９、９１、９３、９５が視認できないようになっている。
またこれらの各取付ブラケット８１、８３、８５、２１、２３、８７、８９、９１、９３、９５と建築構造材１３及び柱７との接合は、これらを貫通するボルトＢと、ボルトＢに螺合するナットＮ等を使用して行われる。
また四阿６１の完成状態では、組み合わせた屋根要素９、６９に対して図１０に示すように、実施例１に係る四阿１と同様の天然化粧板３９、コンパネ４０、アスファルトルーフィング４１、カラーベスト・平形スレート４３、銅板４５及び鼻隠し４７が設けられることによって屋根７１が構築されている。
【００４０】
次にこのようにして構成される本発明の四阿の施工方法について説明する。本発明の四阿の施工方法は、地中Ｇに基礎６を設け、柱７を立設する（１）基礎、柱設置工程と、屋根要素９、６９を工場等において予め製作する（２）屋根要素製作工程と、上記接合金物６３、５、６５、６７を使用して屋根要素９、６９を接合する（３）屋根要素接合工程と、接合した屋根要素９、６９に化粧材及び仕上材等を張設する（４）屋根仕上工程とを備えている。
【００４１】
（１）基礎、柱設置工程
図１０、１２に示すように６本の柱７を立ち上げるために、柱７を支える土台となる基礎６を地中Ｇに６ヶ所設ける。またそれぞれの基礎６から垂直に柱７を立ち上げ、その上端面に接合金物５ないし接合金物６７を取り付ける。即ち接合金物５、６７における取付軸部２７を柱７の上端面から垂直に、下方に向けて刻設されている取付穴部４９に挿し込み、ボルトＢ及びナットＮを使用して接合金物５、６７を柱７に固定する。
【００４２】
（２）屋根要素製作工程
また上記工事と並行して、工場等において屋根要素９、６９の製作を開始する。本実施例では、一例として２×４パネル工法を使用して、三角形板枠形状の屋根要素９を２組、台形板枠形状の屋根要素６９を４組製作する。
また屋根要素９、６９の接合に先立って、接合金物５、６７の基板部２５上に桁１７、水平梁７９を載置しておく。この際、桁１７、水平梁７９に予め刻設されている凹部３７に桁端部用取付ブラケット２３、桁胴部用取付ブラケット９３及び水平梁用取付ブラケット９５を嵌め込むようにして取り付ける。
【００４３】
そしてボルトＢ及びナットＮを利用して桁端部用取付ブラケット２３を桁１７の端部に、桁胴部用取付ブラケット９３を桁１７の胴部に、そして水平梁用取付ブラケット９５を水平梁７９の端部にそれぞれ固定し、桁１７、水平梁７９及び柱７との接合を完了させる。
また図１０、１１に示すように補強材としての火打梁５１を桁１７の接合部近傍の隅部に４５°の角度で架け渡し、補強材としての束７５を水平梁７９上に立ち上げる。
【００４４】
（３）屋根要素接合工程
製作した２組の屋根要素９及び４組の屋根要素６９を、立ち上げた柱７の上方にクレーン等を利用して吊り上げ、最初に屋根要素９、６９の頂部３１、９７の接合を接合金物６３、６５を使用して行う。
図１４（ｃ）に示すように各屋根要素９に刻設されている凹部３７に対して接合金物６３における隅木頂部用取付ブラケット８１、棟木端部用取付ブラケット８３及び束用取付ブラケット８５を嵌め込み、そして図１６（ｅ）に示すように各屋根要素６９に刻設されている凹部３７に対して接合金物６５における合木頂部用取付ブラケット８７及び棟木胴部用取付ブラケット８９を嵌め込み、ボルトＢ及びナットＮを使用して、２組の屋根要素９と４組の屋根要素６９の頂部３１、９７の接合を図る。
【００４５】
次に頂部３１、９７が接合された屋根要素９、６９と桁１７との接合を、既に柱７の上端面に対して固定してある接合金物５、６７を使用して行う。即ち、接合金物５、６７において中央の一段背の高い隅木下部用取付ブラケット２１及び合木下部用取付ブラケット９１を屋根要素９、６９の接合面に刻設されている凹部３７に嵌め込み、ボルトＢ及びナットＮを使用して屋根要素９、６９の下部の接合と、屋根要素９、６９と桁１７及び柱７との接合を図る。
【００４６】
（４）屋根仕上工程
本工程では、接合され、柱７の上方に設けられた屋根要素９、６９に対して屋根要素９、６９の下面側に天然化粧板３９を張設する。また屋根要素９、６９の上面側にはコンパネ４０を張設し、更にその上にアスファルトルーフィング４１を敷いた後、カラーベスト・平形スレート４３を葺く。
そしてカラーベスト・平形スレート４３の継ぎ合わせ部となる隅部ないし頂部に対して銅板４５を設けることによって屋根７１を仕上げる。
そして柱７に対して防腐剤や塗料等を塗布することによって四阿１の施工が完了する。
【００４７】
以上、本発明の実施例を説明したが、本発明の具体的な構成は、前記実施例１、２に限定されるものではなく、本発明の要旨から外れない範囲での設計変更等があっても本発明に含まれる。
例えば、取付ブラケットの形状は、屋根の形状や構造等の違いに応じて種々変更可能であるし、取付ブラケットの平面視放射状の配置も屋根の形状や構造等の違いに応じて種々変更可能である。一例として、６組の同一形状及び同一構造の扇形板枠状の屋根要素を使用して、平面視６角形状の屋根を製作する場合には、取付ブラケットを平面視６０°間隔で放射状に配設する構成が採用できる。
また本発明の接合金物は、四阿だけでなく、例えば壁のある更に本格的な建築物の施工現場でも使用できる。
【図面の簡単な説明】
【００４８】
【図１】本発明の実施例１に係る四阿と、当該四阿の製作に使用する接合金物を分解して示す斜視図である。
【図２】本発明の実施例１に係る四阿を示す正面図である。
【図３】本発明の実施例１に係る四阿を示す中央縦断正面図である。
【図４】本発明の実施例１に係る四阿における屋根要素の構造と桁の組み合わせ状態を併せ示す平面図である。
【図５】本発明の実施例１に係る四阿における柱と基礎の配設状態を示す平面図である。
【図６】本発明の実施例１に係る四阿において使用する２種の接合金物の使用状態を示す正面図である。
【図７】本発明の実施例１に係る四阿において使用する２種の接合金物を示す平面図及び正面図である。
【図８】本発明の実施例２に係る四阿と、当該四阿の製作に使用する接合金物を分解して示す斜視図である。
【図９】本発明の実施例２に係る四阿を示す正面図である。
【図１０】本発明の実施例２に係る四阿を示す中央縦断正面図である。
【図１１】本発明の実施例２に係る四阿における屋根要素の構造と桁の組み合わせ状態を併せ示す平面図である。
【図１２】本発明の実施例２に係る四阿における柱と基礎の配設状態を示す平面図である。
【図１３】本発明の実施例２に係る四阿において使用する２種の接合金物の使用状態を示す正面図である。
【図１４】本発明の実施例２に係る四阿において使用する２種の接合金物を示す平面図、正面図及び側面図である。
【図１５】本発明の実施例２に係る四阿において使用する他の２種の接合金物の使用状態を示す正面図である。
【図１６】本発明の実施例２に係る四阿において使用する他の２種の接合金物を示す平面図、正面図及び側面図である。
【符号の説明】
【００４９】
１  四阿      ３  接合金物      ５  接合金物      ６  基礎      ７  柱
９  屋根要素      １１  屋根      １３  建築構造材      １５  隅木
１７  桁      １９  隅木頂部用取付ブラケット
２１  隅木下部用取付ブラケット      ２３  桁端部用取付ブラケット
２５  基板部      ２７  取付軸部      ２９  取付穴      ３１  頂部
３３  垂木      ３５  端木      ３７  凹部      ３９  天然化粧板
４０  コンパネ      ４１  アスファルトルーフィング
４３  カラーベスト・平形スレート      ４５  銅板      ４７  鼻隠し
４９  取付穴部      ５１  火打梁      ６１  四阿      ６３  接合金物
６５  接合金物      ６７  接合金物      ６９  屋根要素      ７１  屋根
７３  棟木      ７５  束      ７７  合木      ７９  水平梁
８１  隅木頂部用取付ブラケット      ８３  棟木端部用取付ブラケット
８５  束用取付ブラケット      ８７  合木頂部用取付ブラケット
８９  棟木胴部用取付ブラケット      ９１  合木下部用取付ブラケット
９３  桁胴部用取付ブラケット      ９５  水平梁用取付ブラケット
９７  頂部
θ  傾斜角度      Ｂ  ボルト      Ｎ  ナット      Ｇ  地中
【図１】
2006046011.tif 000003
【図２】
2006046011.tif 000004
【図３】
2006046011.tif 000005
【図４】
2006046011.tif 000006
【図５】
2006046011.tif 000007
【図６】
2006046011.tif 000008
【図７】
2006046011.tif 000009
【図８】
2006046011.tif 000010
【図９】
2006046011.tif 000011
【図１０】
2006046011.tif 000012
【図１１】
2006046011.tif 000013
【図１２】
2006046011.tif 000014
【図１３】
2006046011.tif 000015
【図１４】
2006046011.tif 000016
【図１５】
2006046011.tif 000017
【図１６】
2006046011.tif 000018